(57)【要約】【課題】操作表示器の表示状態を扉側にも反映させて操作性の向上を図る。【解決手段】表示伝送システム１は、壁面６側に既設される操作表示器２と、操作表示器の状態表示ランプ上に再現表示ランプ１１が位置して後付けされる伝送器３と、扉５側に配設される表示器４とを具備する。伝送器３は、操作表示器２の状態表示ランプの表示状態を検知し、この検知結果に基づいて状態表示ランプの表示を再現表示ランプ１１で再現表示し、検知結果を制御信号として表示器４に送信する。表示器４は、伝送器３からの制御信号によって状態表示ランプの表示を再現表示ランプ１５で再現表示する。【選択図】図１
2008231835.tif 000002
【特許請求の範囲】
【請求項１】
壁側に既設され、少なくとも操作結果を識別表示する状態表示ランプを備えた操作表示器と、
前記状態表示ランプの表示状態を検知する動作状態検知手段と、該動作状態検知手段の検知結果に基づいて前記状態表示ランプの表示を再現表示する再現表示ランプとを有する本体が前記状態表示ランプ上に配設され、前記動作状態検知手段の検知結果を制御信号として送信する伝送器と、
扉側に配設され、前記伝送器から受信した制御信号に基づいて前記状態表示ランプの表示を再現表示する表示器とを備えたことを特徴とする表示伝送システム。
【発明の詳細な説明】
【技術分野】
【０００１】
本発明は、壁側に既設された操作表示器の表示ランプの表示状態を検知し、この検知結果に基づいて扉側に配設される表示器に再現表示する表示伝送システムに関するものである。
【背景技術】
【０００２】
近年、ホテルやオフィスビル等の商業施設や公共施設の入出口、集合住宅や一般住宅のエントランスや玄関等には、電気的に錠前を施解錠制御する電気錠システムが広く普及している。
【０００３】
ところで、この種の電気錠システムの中には、利用者が直接操作する操作表示器を扉近傍の壁面に配設したものが知られている。この操作表示器としては、単純に錠前の施解錠を指示するスイッチを備えたものの他、カードの認証情報を読み取る機能を備えたもの、利用者の指紋や静脈等を読み取る機能を備えたものなど、様々な機能を有するものが提案されている。そして、この種の操作表示器には、電源のＯＮ／ＯＦＦ、操作結果等を識別表示するための表示ランプが設けられている。これにより、利用者は、操作時の動作結果が表示ランプから認識できるようになっている。
【発明の開示】
【発明が解決しようとする課題】
【０００４】
しかしながら、上述した従来の操作表示器が壁側に既設されている場合、操作表示器を操作（例えばスイッチ押下による解錠操作やカードの認証情報をリーダに通して読み取る操作など）を行った後、即座に扉方向を向いて扉を開けようとすると、まだ電気錠が完全に解錠されず、扉を開けようとすることができないことがある。
【０００５】
これは、扉を開けようとする人が操作表示器の表示ランプの表示状態を確認せずに扉方向に向かうことで生じ、扉面に表示がないためと考えられる。
【０００６】
そこで、本発明は上記問題点に鑑みてなされたものであり、操作表示器の表示状態を扉側にも反映させて操作性の向上を図ることができる表示伝送システムを提供することを目的とするものである。
【課題を解決するための手段】
【０００７】
上記した目的を達成するために、請求項１に記載された表示伝送システムは、壁側に既設され、少なくとも操作結果を識別表示する状態表示ランプを備えた操作表示器と、
前記状態表示ランプの表示状態を検知する動作状態検知手段と、該動作状態検知手段の検知結果に基づいて前記状態表示ランプの表示を再現表示する再現表示ランプとを有する本体が前記状態表示ランプ上に配設され、前記動作状態検知手段の検知結果を制御信号として送信する伝送器と、
扉側に配設され、前記伝送器から受信した制御信号に基づいて前記状態表示ランプの表示を再現表示する表示器とを備えたことを特徴とする。
【発明の効果】
【０００８】
本発明に係る表示伝送システムによれば、操作表示器が壁側に既設されている場合において、操作表示器の操作後、即座に扉方向を向いたときに、操作表示器の表示が扉側の表示器に再現表示されるので、この表示器の表示を見て扉の開閉操作が可能か否かを認識することが可能となる。これにより、操作表示器の表示が扉側の表示器にも反映され、扉を開閉するときの手助けとなり、従来に比べて操作性の向上を図ることができる。
【発明を実施するための最良の形態】
【０００９】
以下、本発明の最良の形態について、添付した図面を参照しながらそれぞれ詳細に説明する。図１は本発明に係る表示伝送システムの一例を示す図、図２は本発明に係る表示伝送システムのブロック構成図、図３（ａ）は本発明に係る表示伝送システムの操作表示器の一例を示す平面図、図３（ｂ）は同システムの伝送器の一例を示す平面図、図３（ｃ）は同システムにおいて操作表示器の表示画面上に伝送器を後付け配設した状態を示す平面図、図３（ｄ）は同システムにおいて扉側に配設される表示器の一例を示す平面図である。
【００１０】
本例の表示伝送システム１は、図１や図２に示すように、操作表示器２、伝送器３、表示器４を備えて概略構成される。
【００１１】
操作表示器２は、図１に示すように、扉５近傍の壁面６に既設されるものであって、図２に示すように、リーダ７と状態表示ランプ８とを備えている。
【００１２】
リーダ７は、例えば手動によりカードをスリット内でスライドさせてカードの情報（錠前の施解錠に必要な情報：利用者を特定する認証情報）を読み取るスワイプ式のカードリーダで構成される。
【００１３】
状態表示ランプ８は、操作表示器２の操作結果を含む各種状態表示を行うもので、例えばＬＥＤ等の半導体発光素子で構成される。具体的に、図３（ａ）に示す状態表示ランプ８は、操作表示器２の本体２ａの表面に上下に並んで並設された３つの表示ランプ８ａ，８ｂ，８ｃから構成される。図３（ａ）において、表示ランプ８ａは、状態を示す文字「電源」の左側に設けられ、電源ＯＮ時に点灯し、電源ＯＦＦ時に消灯する。表示ランプ８ｂは、状態を示す文字「ＯＫ」の左側に設けられ、操作結果がＯＫのときに点灯する。表示ランプ８ｃは、状態を示す文字「エラー」の左側に設けられ、操作結果がエラーのときに点灯する。尚、本例の操作表示器２は、スピーカを内蔵しており、操作音の他、エラー時にエラー音が鳴動するようになっている。
【００１４】
ところで、図１や図３（ａ）に示す操作表示器２は、カード情報を読み取る機能としてスワイプ式のリーダ５を備えた構成であるが、このカード情報を読み取る機能のみに限定されるものではない。本発明に採用される操作表示器２は、操作結果（操作や認証の動作が正常に行われたか否か）を識別表示する状態表示ランプ８を備えた構成であれば、その他の機能については単純に錠前の施解錠を指示するスイッチを備えたもの、利用者の指紋や静脈等を読み取る機能を備えたもの、暗証番号を入力するためのテンキーを備えたもの、リーダとテンキーを併用したもの等、使用形態に応じて様々なものが考えられる。
【００１５】
次に、伝送器３は、図１に示すように、後付けにより上述した操作表示器２上に配設されるもので、本体３ａが操作表示器２の状態表示ランプ８（状態を示す文字「電源」、「ＯＫ」、「エラー」の部分を含む）を覆うように例えば両面テープやビス止め等の手法によって固定される。この伝送器３は、図２に示すように、動作状態検知手段９、制御手段１０、壁側再現表示ランプ１１、送信手段１２を備えている。
【００１６】
動作状態検知手段９は、操作表示器２の状態表示ランプ８の表示状態（点灯・消灯、点灯色）を検知する光センサと、操作表示器２が発する音（操作音、エラー音）を検知する音センサとを備えて構成される。さらに説明すると、光センサは、例えば操作表示器２の状態表示ランプ８の各表示ランプ８ａ，８ｂ，８ｃ個々と対向して本体３ａに形成された開口部に埋設されるＲＧＢカラーセンサやデジタルカラーセンサで構成され、操作表示器２の状態表示ランプ８の表示ランプ８ａ，８ｂ，８ｃ毎に隣接する表示ランプの表示の影響を受けずに各表示ランプ８ａ，８ｂ，８ｃの表示状態を検知し、それぞれの検知信号を制御手段１０に出力している。また、音センサは、例えばマイクロホンや圧電素子等で構成され、操作表示器３が発した音を検知し、その検知信号を制御手段１０に出力している。
【００１７】
制御手段１０は、動作状態検知手段９からの検知信号に基づいて、操作表示器２の状態表示ランプ８の個々の表示ランプ８ａ，８ｂ，８ｃの点灯の有無や点灯色、操作表示器２が発する音の種類を判別している。また、制御手段１０は、前記判別結果に基づいて壁側再現表示ランプ１１の点灯（点灯色を含む）・消灯を制御している。さらに、制御手段１０は、前記判別結果に基づいて表示器４の後述する扉側再現表示ランプ１５の点灯（点灯色を含む）・消灯を制御するための制御信号を送信するべく送信手段１２を制御している。
【００１８】
壁側再現表示ランプ１１は、操作表示器２の状態表示ランプ８の表示を再現表示するもので、例えばフルカラーのＬＥＤ等の半導体発光素子で構成される。具体的に、図３（ｂ）に示す壁側再現表示ランプ１１は、伝送器３の本体３ａの表面に上下に並んで並設された３つの表示ランプ１１ａ，１１ｂ，１１ｃから構成される。表示ランプ１１ａは、操作表示器２の表示ランプ８ａ上に位置して状態を示す文字「電源」の左側に設けられ、電源ＯＮ時に点灯し、電源ＯＦＦ時に消灯する。表示ランプ１１ｂは、操作表示器２の表示ランプ８ｂ上に位置して状態を示す文字「ＯＫ」の左側に設けられ、操作結果がＯＫのときに点灯する。表示ランプ１１ｃは、操作表示器２の表示ランプ８ｃ上に位置して状態を示す文字「エラー」の左側に設けられ、操作結果がエラーのときに点灯する。
【００１９】
送信手段１２は、制御手段１０の判別結果に基づく制御により、表示器４の後述する扉側再現表示ランプ１５の点灯（点灯色を含む）・消灯を制御するための制御信号を送信している。
【００２０】
尚、図示はしないが、伝送器３は、本体３ａに対して着脱交換可能な例えばボタン電池や乾電池などから各部に必要な駆動電源が供給されるようになっている。
【００２１】
次に、表示器４は、図１に示すように、伝送器３と同様、後付けにより扉５の所望位置に配設される。この表示器４は、図２に示すように、受信手段１３、制御手段１４、扉側再現表示ランプ１５を備えている。
【００２２】
受信手段１３は、伝送器３から伝送される制御信号を受信している。制御手段１４は、受信手段１３が受信した伝送器３からの制御信号に基づいて操作表示器２の状態表示ランプ８の表示を再現表示するべく扉側再現表示ランプ１５の点灯（点灯色を含む）・消灯を制御している。
【００２３】
扉側再現表示ランプ１５は、制御手段１４の制御により、操作表示器２の状態表示ランプ８の表示を再現表示するもので、例えばフルカラーのＬＥＤ等の半導体発光素子で構成される。具体的に、図３（ｃ）に示す扉側再現表示ランプ１５は、表示器４の本体４ａの表面に対し、操作表示器２の状態表示ランプ８の状態を示す文字と同じ順序で上下に並んで並設された３つの表示ランプ１５ａ，１５ｂ，１５ｃから構成される。表示ランプ１５ａは、操作表示器２の表示ランプ８ａと対応するもので、状態を示す文字「電源」の左側に設けられ、電源ＯＮ時に点灯し、電源ＯＦＦ時に消灯する。表示ランプ１５ｂは、操作表示器２の表示ランプ８ｂと対応するもので、状態を示す文字「ＯＫ」の左側に設けられ、操作結果がＯＫのときに点灯する。表示ランプ１５ｃは、操作表示器２の表示ランプ８ｃと対応するもので、状態を示す文字「エラー」の左側に設けられ、操作結果がエラーのときに点灯する。尚、扉側再現表示ランプ１５は、利用者が扉５の正面に立ったときの目線位置に設けるのが好ましい。
【００２４】
そして、上記構成による表示伝送システム１では、壁側に既設された操作表示器２の状態表示ランプ８（８ａ，８ｂ，８ｃ）の表示状態を、表示ランプ８上に後付けされた伝送器３により検知し、この検知結果に基づいて操作表示器２の状態表示ランプ８（８ａ，８ｂ，８ｃ）の表示を壁側再現表示ランプ１１（１１ａ，１１ｂ，１１ｃ）で再現表示する。しかも、伝送器３の検知結果を制御信号として扉側の表示器４に送信し、この制御信号によって扉側の表示器４にも操作表示器２の状態表示ランプ８（８ａ，８ｂ，８ｃ）の表示を扉側再現表示ランプ１５（１５ａ，１５ｂ，１５ｃ）で再現表示する。
【００２５】
尚、表示器４にスピーカを内蔵し、操作表示器２のエラー音を伝送器３の動作状態検知手段９の音センサで検知し、この検知結果に基づいて表示器４のスピーカから操作表示器２のエラー音を再現することもできる。
【００２６】
従って、操作表示器２が壁側に既設されている場合において、操作表示器２の操作後、即座に扉方向を向いたときに、操作表示器２の表示が扉５側の表示器４に再現表示されるので、この表示器４の表示を見て扉の開閉操作が可能か否かを認識することが可能となる。
【００２７】
このように、本例の表示伝送システム１によれば、操作表示器２の表示が扉側の表示器４にも反映されるので、扉を開閉するときの手助けとなり、従来に比べて操作性の向上を図ることができる。
【００２８】
また、操作表示器２上に後付けされる伝送器３は、操作表示器２の状態表示ランプ８と同一表示形式の壁側再現表示ランプ１１が対応して配置されるので、伝送器３を配設する前後で違和感なく操作表示器２の操作を行うことができる。
【図面の簡単な説明】
【００２９】
【図１】本発明に係る表示伝送システムの一例を示す図である。
【図２】本発明に係る表示伝送システムのブロック構成図である。
【図３】（ａ）本発明に係る表示伝送システムの操作表示器の一例を示す平面図である。  （ｂ）同システムの伝送器の一例を示す平面図である。  （ｃ）同システムにおいて操作表示器の表示画面上に伝送器を後付け配設した状態を示す平面図である。  （ｄ）同システムにおいて扉側に配設される表示器の一例を示す平面図である。
【符号の説明】
【００３０】
１  表示伝送システム
２  操作表示器
３  伝送器
４  表示器
５  扉
６  壁面
７  リーダ
８  状態表示ランプ
８ａ，８ｂ，８ｃ  表示ランプ
９  動作状態検知手段
１０  制御手段
１１  壁側再現表示ランプ
１１ａ，１１ｂ，１１ｃ  表示ランプ
１２  送信手段
１３  受信手段
１４  制御手段
１５  扉側再現表示ランプ
１５ａ，１５ｂ，１５ｃ  表示ランプ
【図１】
2008231835.tif 000003
【図２】
2008231835.tif 000004
【図３】
2008231835.tif 000005